(57)【要約】【課題】  深調光時に安定して動作することができる点灯装置、及び、照明システムを提供する。【解決手段】  実施形態によれば、点灯装置は、変換部と、分流部と、演算部と、を備える。変換部は、交流電圧を直流電圧に変換し、照明負荷に第１の電流を出力する。分流部は、前記変換部と前記照明負荷との間に流れる電流から第２の電流を引き込む。演算部は、前記第１の電流を一定に制御し、調光度に基づいて、前記第２の電流を制御する。【選択図】図１
2017062896.tif 000002
【特許請求の範囲】
【請求項１】
交流電圧を直流電圧に変換し、照明負荷に第１の電流を出力する変換部と；
前記変換部と前記照明負荷との間に流れる電流から第２の電流を引き込む分流部と；
前記第１の電流を一定に制御し、調光度に基づいて、前記第２の電流を制御する演算部と；
を備える点灯装置。
【請求項２】
前記演算部は、前記調光度が閾値よりも小さい場合に、前記第１の電流を一定に制御し、前記調光度に基づいて、前記第２の電流を制御する、
前記請求項１に記載の点灯装置。
【請求項３】
前記演算部は、前記調光度が前記閾値以上である場合に、前記調光度に基づいて前記第１の電流を制御し、前記第２の電流を０に制御する、
前記請求項２に記載の点灯装置。
【請求項４】
前記演算部は、前記調光度が前記閾値よりも小さい場合に、前記第１の電流を前記閾値に対応する電流に制御し、前記第２の電流を前記閾値に対応する電流値から前記調光度に対応する電流値を減算した電流値の電流に制御する、
前記請求項２又は３に記載の点灯装置。
【請求項５】
前記第１の電流は、第１の抵抗を流れ、
前記分流部は、前記第２の電流が流れ前記第１の抵抗の抵抗値よりも大きな抵抗値の第２の抵抗を備え、
前記演算部は、
前記第１の抵抗に印加される電圧の電圧値を決定して、前記第１の電流を制御し、
前記第２の抵抗に印加される電圧の電圧値を決定して、前記第２の電流を制御する、
前記請求項１乃至４の何れか１項に記載の点灯装置。
【請求項６】
前記演算部は、前記第２の抵抗に印加される電圧の電圧値を示す制御信号を前記分流部に送信し、
前記分流部は、
前記変換部と前記照明負荷との間に接続されるスイッチと；
前記第２の抵抗に前記電圧値の電圧が印加されるように、前記スイッチをオンオフ制御するオペアンプと；
を備える、
前記請求項５に記載の点灯装置。
【請求項７】
前記照明負荷は、ＬＥＤから構成される、
前記請求項１乃至６の何れか１項に記載の点灯装置。
【請求項８】
交流電圧を直流電圧に変換し、第１の電流を出力する変換部と；
前記第１の電流から第２の電流を引き込む分流部と；
前記第１の電流を一定に制御し、調光度に基づいて、前記第２の電流を制御する演算部と；
前記第１の電流から前記第２の電流を分流した第３の電流によって発光する照明負荷と；
を備える照明システム。
【発明の詳細な説明】
【技術分野】
【０００１】
本発明の実施形態は、点灯装置、及び、照明システムに関する。
【背景技術】
【０００２】
近年、照明システムは、発光ダイオード（Ｌｉｇｈｔ  ｅｍｉｔｔｉｎｇ  ｄｉｏｄｅ：ＬＥＤ）を用いるものが多くなってきている。そのような照明システムは、ＬＥＤに流れる電流を検知して、ＬＥＤを調光するものがある。
【０００３】
深調光（たとえば、１％以下で発光させる調光）を行う場合、電流検知用の抵抗に印加される電圧が小さくなり、照明システムは、ノイズの影響を受けやすい。そのため、照明システムは、ＬＥＤに流れる電流を適切に検知することができないことがある。その結果、従来、照明システムは、深調光を行うと、ＬＥＤがちらつくなどの不具合が発生するという課題がある。
【先行技術文献】
【特許文献】
【０００４】
【特許文献１】特開２００７−１５４６８６号公報
【発明の概要】
【発明が解決しようとする課題】
【０００５】
上記の課題を解決するために、深調光時に安定して動作することができる点灯装置、及び、照明システムを提供する。
【課題を解決するための手段】
【０００６】
実施形態によれば、点灯装置は、変換部と、分流部と、演算部と、を備える。変換部は、交流電圧を直流電圧に変換し、照明負荷に第１の電流を出力する。分流部は、前記変換部と前記照明負荷との間に流れる電流から第２の電流を引き込む。演算部は、前記第１の電流を一定に制御し、調光度に基づいて、前記第２の電流を制御する。
【発明の効果】
【０００７】
この発明によれば、深調光時に安定して動作することができる点灯装置、及び、照明システムを提供することができる。
【図面の簡単な説明】
【０００８】
【図１】図１は、実施形態に係る照明システムの構成例を示す図である。
【図２】図２は、実施形態に係るコンバータ回路が出力する電流を示す図である。
【図３】図３は、実施形態に係る分流回路に流れる電流を示す図である。
【発明を実施するための形態】
【０００９】
以下、実施の形態について図面を参照して説明する。  
以下で説明する実施形態に係る点灯装置２は、変換部と、分流部と、演算部と、を備える。変換部は、交流電圧を直流電圧に変換し、照明負荷に第１の電流を出力する。分流部は、前記変換部と前記照明負荷との間に流れる電流から第２の電流を引き込む。演算部は、前記第１の電流を一定に制御し、調光度に基づいて、前記第２の電流を制御する。
【００１０】
以下で説明する実施形態に係る前記演算部は、前記調光度が閾値よりも小さい場合に、前記第１の電流を一定に制御し、前記調光度に基づいて、前記第２の電流を制御する。
【００１１】
以下で説明する実施形態に係る前記演算部は、前記調光度が前記閾値以上である場合に、前記調光度に基づいて前記第１の電流を制御し、前記第２の電流を０に制御する。
【００１２】
以下で説明する実施形態に係る前記演算部は、前記調光度が前記閾値よりも小さい場合に、前記第１の電流を前記閾値に対応する電流に制御し、前記第２の電流を前記閾値に対応する電流値から前記調光度に対応する電流値を減算した電流値の電流に制御する。
【００１３】
以下で説明する実施形態に係る前記第１の電流は、第１の抵抗を流れ、前記分流部は、前記第２の電流が流れ前記第１の抵抗の抵抗値よりも大きな抵抗値の第２の抵抗を備え、前記演算部は、前記第１の抵抗に印加される電圧の電圧値を決定して、前記第１の電流を制御し、前記第２の抵抗に印加される電圧の電圧値を決定して、前記第２の電流を制御する。
【００１４】
以下で説明する実施形態に係る前記演算部は、前記第２の抵抗に印加される電圧の電圧値を示す制御信号を前記分流部に送信し、前記分流部は、前記変換部と前記照明負荷との間に接続されるスイッチと、前記第２の抵抗に前記電圧値の電圧が印加されるように、前記スイッチをオンオフ制御するオペアンプと、を備える。
【００１５】
以下で説明する実施形態に係る前記照明負荷は、ＬＥＤから構成される。
【００１６】
以下で説明する実施形態に係る照明システムは、変換部と、分流部と、演算部と、照明負荷と、を備える。変換部は、交流電圧を直流電圧に変換し、第１の電流を出力する。分流部は、前記第１の電流から第２の電流を引き込む。演算部は、前記第１の電流を一定に制御し、調光度に基づいて、前記第２の電流を制御する。照明負荷は、前記第１の電流から前記第２の電流を分流した第３の電流によって発光する。
【００１７】
図１は、実施形態に係る照明システム１００の構成例を示す図である。  
照明システム１００は、交流電源１からの交流電圧を直流電圧に変換する点灯装置２と点灯装置２からの直流電圧により発光する照明負荷３と、照明負荷３に流れる電流を検知するための抵抗４（第１の抵抗）とを有するシステムである。照明システム１００は、外部装置からの調光信号に基づいて照明負荷３を調光する機能を有する。
【００１８】
交流電源１は、交流の電圧を供給する。たとえば、交流電源１は、商用電源である。たとえば、交流電源１は、１００Ｖであり、５０Ｈｚ又は６０Ｈｚである交流電圧を供給する。交流電源１は、交流電圧を点灯装置２へ供給する。
【００１９】
点灯装置２は、交流電源１が供給する交流電圧を直流電圧に変換する。また、点灯装置２は、交流電圧から得られた直流電圧を、外部装置が送信する調光信号に基づいて設定する電圧値の電流が流れるように直流電圧を出力する。即ち、点灯装置２は、調光信号に基づいた電圧値の電圧を出力する。点灯装置２は、変換した電圧を照明負荷３に印加する。
【００２０】
照明負荷３は、点灯装置２が出力する電圧によって生じる電流で点灯する。たとえば、照明負荷３は、発光ダイオード（ＬＥＤ）である。照明負荷３のアノードは、コンバータ回路１３に接続される。
【００２１】
抵抗４は、照明負荷３に直列に接続される。抵抗４には、照明負荷３に流れる電流が流れる。抵抗４の一方の端子は、照明負荷３のカソードに接続される。抵抗４の他方の端子は、接地される。
【００２２】
照明負荷３と抵抗４とは、照明システム１００内に組み込まれるのではなく、ＬＥＤ電球又はＬＥＤ蛍光灯などとして照明システム１００と着脱可能に構成されていてもよい。
【００２３】
図１が示すように、点灯装置２は、整流回路１１、ＰＦＣ回路１２、コンバータ回路１３、制御部１４、演算部１５、及び分流回路（分流部）１６などを備える。整流回路１１、ＰＦＣ回路１２、コンバータ回路１３及び制御部１４は、変換部を構成する。
【００２４】
整流回路１１は、交流電源１に接続される。また、整流回路１１は、ＰＦＣ回路１２に接続される。整流回路１１は、交流電源１から供給された交流電圧を整流した直流電圧をＰＦＣ回路１２へ出力する。
【００２５】
ＰＦＣ（ｐｏｗｅｒ  ｆａｃｔｏｒ  ｃｏｒｒｅｃｔｉｏｎ）回路１２は、コンバータ回路１３と接続される。また、ＰＦＣ回路１２は、制御部１４と接続される。ＰＦＣ回路１２は、例えば昇圧回路である。ＰＦＣ回路１２は、制御部１４からの制御信号に基づいて整流回路１１から出力された電圧を昇圧する。ＰＦＣ回路１２は、昇圧した電圧をコンバータ回路１３へ出力する。
【００２６】
コンバータ回路１３は、照明負荷３のアノードに接続される。また、コンバータ回路１３は、制御部１４及び演算部１５に接続される。コンバータ回路１３は、例えば降圧回路である。コンバータ回路１３は、制御部１４からの制御信号に基づいてＰＦＣ回路１２から出力された電圧を降圧する。コンバータ回路１３は、降圧した電圧を照明負荷３に印加することによってコンバータ回路１３から第１の電流ＩＦ１（以下、ＩＦ１と称する）を出力する。また、コンバータ回路１３は、演算部１５からの信号に基づいて起動又は停止する。
【００２７】
制御部１４は、演算部１５に接続される。また、制御部１４は、照明負荷３のカソードと抵抗４の一方の端子との間に電流検出ラインを介して接続される。制御部１４は、演算部１５からの制御信号に基づいてＰＦＣ回路１２の動作及びコンバータ回路１３の動作を制御する。制御部１４は、ＩＦ１を検知し、ＩＦ１が演算部１５からの制御信号に応じた電流となるようにコンバータ回路１３を制御する。
【００２８】
制御部１４は、例えばオペアンプなどから構成される。制御部１４は、演算部１５から入力された制御信号により指示される電圧をオペアンプの入力端子の一方に印加する。また、制御部１４は、オペアンプの入力端子の他方に電流検出ラインの電圧を印加する。制御部１４のオペアンプは、二つの入力端子に印加された電圧の差に応じた電圧を制御信号としてコンバータ回路１３に出力する。制御部１４は、コンバータ回路１３の降圧回路を構成する半導体スイッチを制御信号によってオンオフ動作させてコンバータ回路１３の出力電圧を制御することにより、ＩＦ１を演算部１５からの制御信号に応じた電流値に制御する。
【００２９】
演算部１５は、分流回路１６に接続される。また、演算部１５は、外部装置に接続される。演算部１５は、たとえば、プログラムを実行可能なプロセッサと、プログラムを記憶するメモリと、を備えるマイクロコンピュータなどから構成されてもよい。演算部１５は、外部装置からの調光信号に従って、制御部１４及び分流回路１６を制御する。なお、演算部１５は、無線通信により外部装置から調光信号を受信する構成であってもよい。演算部１５の制御については後述する。
【００３０】
分流回路１６は、コンバータ回路１３と照明負荷３のアノードとの間に接続される。また、分流回路１６は、照明負荷３のカソードと制御部１４との間に接続される。即ち、分流回路１６は、コンバータ回路１３と照明負荷３のアノードとを接続する経路と、上記の検出ラインと、の間に接続される。分流回路１６は、演算部１５からの制御信号に基づいて、コンバータ回路１３と照明負荷３との間から電流を引き込む。即ち、分流回路１６は、コンバータ回路１３から流れるＩＦ１を、分流回路１６側と照明負荷３側とに分流する。分流回路１６は、演算部１５からの制御信号に応じた電流値の第２の電流ＩＦ２（以下ＩＦ２と称する）を分流回路１６側に引きこむ。これにより、照明負荷３にＩＦ１の電流値からＩＦ２の電流値が減算された第３の電流ＩＦ３（以下ＩＦ３と称する）が流れる。
【００３１】
図１が示すように、分流回路１６は、ＲＣフィルタ２１、オペアンプ２２、抵抗２３、半導体スイッチ２４、及び、抵抗２５（第２の抵抗）などを備える。
【００３２】
ＲＣフィルタ２１は、演算部１５に接続される。また、ＲＣフィルタ２１は、オペアンプ２２の入力端子の一方に接続される。ＲＣフィルタ２１は、演算部１５からの制御信号に応じた電圧をオペアンプ２２の入力端子の一方に印加する。例えば演算部１５からの制御信号が電圧パルス信号である場合、ＲＣフィルタ２１は、電圧パルスを平滑化してオペアンプ２２の入力端子の一方に印加する。
【００３３】
オペアンプ２２の出力端子は、半導体スイッチ２４のベースに接続される。オペアンプ２２は、一対の入力端子の電圧の差分に応じて半導体スイッチ２４のコレクタ−エミッタ間の導通を制御する。
【００３４】
半導体スイッチ２４は、ｎ型バイポーラトランジスタである。なお、半導体スイッチ２４は、如何なるもので構成されていてもよい。例えば、半導体スイッチ２４は、ｐ型バイポーラトランジスタ、ＭＯＳ−ＦＥＴ、またはＩＧＢＴなどによって構成されていてもよい。
【００３５】
半導体スイッチ２４のコレクタは、抵抗２３を介してコンバータ回路１３と照明負荷３のアノードとの間に接続される。半導体スイッチ２４のエミッタは、抵抗２５を介して照明負荷３のカソードと抵抗４との間に接続される。即ち、半導体スイッチ２４のエミッタは、抵抗２５を介して上記の検出ラインに接続される。なお、抵抗２５を介して半導体スイッチ２４のエミッタと上記の検出ラインとが接続された接続点をＵ点と称する。また、半導体スイッチ２４のエミッタと抵抗２５との接続点は、オペアンプ２２の他方の入力端子に接続される。  
抵抗２５は、抵抗４よりも抵抗値が大きい抵抗である。
【００３６】
上記の構成を備える分流回路１６は、演算部１５から指示された電圧と、抵抗２５の電圧と、の差分に応じて半導体スイッチ２４のオンオフを制御することにより、コンバータ回路１３と照明負荷３のアノードとの間からＩＦ２を引きこむ。
【００３７】
次に、演算部１５の制御について説明する。  
演算部１５は、外部装置から入力される調光信号に基づいて、制御部１４及び分流回路１６を制御する。  
まず、演算部１５による制御部１４の制御について説明する。  
演算部１５は、外部装置からの調光信号に基づいて制御部１４を制御する。ここでは、調光信号は、照明負荷３の調光度を示すものであるとする。調光度は、照明負荷３の最大光量に対する光量の割合を示す。ここでは、調光度は、割合をパーセンテージで示すものとする。
【００３８】
演算部１５は、調光信号が示す調光度の光量を照明負荷３が出力するように制御部１４を制御する。たとえば、演算部１５は、調光信号に基づいて照明負荷３に流す電流を決定する。演算部１５は、調光度と照明負荷３を流れるＩＦ３との関係示す照明負荷３の特性が記憶されたメモリを備えることによって、調光信号が示す調光度に応じたＩＦ３の電流値を算出することができる。具体的には、演算部１５は、照明負荷３が最大光量となる最大電流に調光信号の調光度を積算して、照明負荷３に流すＩＦ３の電流値を決定する。
【００３９】
演算部１５は、決定した電流値のＩＦ３を照明負荷３に流す為のコンバータ回路１３の出力電圧の電圧値を算出する。具体的には、演算部１５は、調光度に基づいて決定した電流値のＩＦ３を抵抗４に流す為の電圧値を算出する。演算部１５は、算出した電圧値の電圧を制御信号として制御部１４に入力する。例えば、上記のように制御部１４がオペアンプを備える構成である場合、演算部１５は、制御部１４のオペアンプの一方の端子に算出した電圧値の電圧を印加する。これにより、演算部１５は、調光度に応じた電流値のＩＦ３を照明負荷３に流す為の電圧を出力するように制御部１４によってコンバータ回路１３を制御させることができる。
【００４０】
また、演算部１５は、調光信号の調光度が所定の閾値よりも小さい場合、当該閾値の光量を照明負荷３が発光する電流をコンバータ回路１３が出力するように制御部１４を制御する。即ち、演算部１５は、コンバータ回路１３が一定の電流を出力するように制御部１４を制御する。ここでは、所定の閾値は、Ｍａであるものとする。即ち、演算部１５は、調光信号の調光度がＭａよりも小さい場合、Ｍａの光量を照明負荷３に出力させる制御信号を制御部１４へ送信する。ここでは、Ｍａの光量を発光させる電流は、ＩＦａであるものとする。
【００４１】
たとえば、ＩＦａは、コンバータ回路１３が安定して出力することができる電流値の電流である。即ち、ＩＦａは、ノイズなどの影響を受けずにちらつきなどが生じない電流値の電流である。Ｍａは、ＩＦａの電流値に対応する調光度である。即ち、Ｍａは、ＩＦａが照明負荷３に流れた場合の調光度である。たとえば、Ｍａは、１〜５％程度である。
【００４２】
図２は、調光信号の調光度とコンバータ回路１３が出力するＩＦ１との関係を示す図である。  
図２の横軸は、調光度を示す。図２の縦軸は、コンバータ回路１３が出力する電流（ＩＦ１）を示す。
【００４３】
図２が示すように、調光度がＭａよりも小さい場合には、ＩＦ１の電流値は、調光度Ｍａに応じた電流値、即ちＩＦａの電流値になる。また、調光度がＭａ以上である場合には、ＩＦ１の電流値は、調光度に応じた電流値になる。即ち、演算部１５は、調光度がＭａよりも小さい場合にコンバータ回路１３が出力するＩＦ１の電流値を調光度がＭａに応じた電流値に制御し、調光度がＭａ以上である場合にコンバータ回路１３が出力するＩＦ１の電流値を調光度に応じた電流値に制御する。
【００４４】
調光度がＭａ以上である場合には、調光度とＩＦ１の電流値とは、比例関係であってもよい。また、グラフの原点は、ＩＦ１及びＩＦ２がともに０となる。すなわち、調光度が０のときは、後述するように演算部１５はコンバータ回路１３を停止させる。
【００４５】
演算部１５は、図２の通りにコンバータ回路１３が電流を出力するように制御部１４を制御する。
【００４６】
たとえば、演算部１５は、調光度と制御部１４への制御信号とを示す関数に従って、制御部１４への制御信号を生成してもよい。  
また、演算部１５は、調光度と制御部１４への制御信号とを対応付けたテーブルを備えてもよい。この場合、電圧制御部３２は、当該テーブルに従って、制御部１４への制御信号を生成する。
【００４７】
次に、演算部１５による分流回路１６の制御について説明する。  
演算部１５は、調光信号に基づいて分流回路１６を制御する。  
演算部１５は、調光信号の調光度がＭａより小さい場合に、調光信号の調光度に応じた電流をコンバータ回路１３の出力から分流回路１６側に引き込むように分流回路１６を制御する。演算部１５は、調光信号の調光度がＭａより小さい場合に、調光信号が示す調光度に応じた輝度で照明負荷３を発光させる為の電流値のＩＦ３が照明負荷３に流れるように、ＩＦ２の電流値を制御する。たとえば、演算部１５は、調光信号の調光度がＭａより小さい場合、コンバータ回路１３から調光度Ｍａに応じた電流値のＩＦａが出力される。この為、演算部１５は、ＩＦａの電流値から調光度に対応する電流値（即ち、照明負荷３に流すＩＦ３の電流値）を減算した電流値のＩＦ２を引き込むように分流回路１６を制御する。即ち、演算部１５は、調光信号の調光度が大きくなればなるほど、小さな電流を分流回路１６に引き込ませる。
【００４８】
上記のように演算部１５は、ＩＦａの電流値から、調光度に対応したＩＦ３の電流値を減算した値をＩＦ２の電流値として決定する。演算部１５は、決定した電流値に基づいて、分流回路１６の抵抗２５に印加される電圧の電圧値を制御することにより、ＩＦ２が決定した電流値となるように制御する。具体的には、まず演算部１５は、決定したＩＦ２の電流値と、抵抗２５の抵抗値とを積算することにより算出される電圧値の電圧を分流回路１６のオペアンプ２２に入力する為の制御信号を生成する。例えば、演算部１５は算出した電圧値に応じたデューティ比の電圧パルスを制御信号としてＲＣフィルタ２１に入力する。これにより、ＩＦ２の電流値と抵抗２５の抵抗値との積算結果に応じた電圧値の電圧がオペアンプ２２の一方の端子に入力される。これにより、オペアンプ２２は、ＲＣフィルタ２１から入力された電圧と抵抗２５に印加される電圧とが等しくなるように半導体スイッチ２４のオンオフを制御する。この結果、演算部１５は、ＩＦ２の電流値を上記のように決定した電流値になるように分流回路１６を制御する。
【００４９】
図３は、調光信号の調光度と分流回路１６が引き込む電流との関係を示す図である。  
図３の横軸は、調光度を示す。図３の縦軸は、分流回路１６が引き込むＩＦ２の電流値を示す。
【００５０】
図３が示すように、調光度が０である場合には、ＩＦ２は、ＩＦａである。また、ＩＦ２は、調光度が大きくなればなるほど、小さくなる。
【００５１】
また、ＩＦ２の電流値は、調光度がＭａ以上である場合、０アンペア［Ａ］である。  
調光度がＭａより小さい場合、ＩＦ２の電流値と調光度とは、比例関係であってもよい。
【００５２】
たとえば、演算部１５は、調光度とＲＣフィルタ２１への制御信号とを示す関数に従って、ＲＣフィルタ２１への制御信号を生成してもよい。  
また、演算部１５は、調光度とＲＣフィルタ２１への制御信号とを対応付けたテーブルを備えてもよい。この場合、演算部１５は、当該テーブルを参照し、調光度に対応する制御信号を抽出し、抽出した制御信号をＲＣフィルタ２１に入力する。
【００５３】
次に、照明システム１００の動作例について説明する。  
まず、調光信号の調光度が所定の閾値以上である場合（たとえば、調光度がＭａ以上である場合）について説明する。  
整流回路１１及びＰＦＣ回路１２は、交流電源１が出力する交流電圧を所定の電圧の直流電圧に変換する。  
演算部１５は、調光信号の調光度に基づいて制御信号を生成し、生成した制御信号を制御部１４へ送信する。制御部１４は、演算部１５からの制御信号に基づいて、コンバータ回路１３へ制御信号を送信する。
【００５４】
コンバータ回路１３は、制御部１４からの制御信号に基づいて、ＰＦＣ回路１２が出力する直流電圧を用いてＩＦ１を出力する。コンバータ回路１３は、ＩＦ１を照明負荷３に出力する。
【００５５】
調光信号の調光度がＭａ以上であるため、ＩＦ２は、０［Ａ］である。そのため、照明負荷３には、ＩＦ３としてＩＦ１が流れる。  
照明負荷３は、ＩＦ３によって発光する。
【００５６】
また、制御部１４は、検出ラインの電圧、即ちＵ点での電圧を測定する。制御部１４は、Ｕ点での電圧に基づいて、ＩＦ１が演算部１５からの制御信号に基づく電流となっているかをチェックする。制御部１４は、ＩＦ１が演算部１５からの制御信号に基づく電流から外れている場合には、コンバータ回路１３への制御信号を調整する。
【００５７】
次に、調光信号の調光度が所定の閾値より小さい場合（たとえば、調光度がＭａより小さい場合）の動作例について説明する。  
演算部１５は、調光度がＭａである場合に対応する制御信号を制御部１４へ送信する。即ち、演算部１５は、ＩＦ１がＩＦａとなるような制御信号を制御部１４へ送信する。
【００５８】
また、演算部１５は、調光信号に基づいて、分流回路１６へ送信する制御信号を生成する。たとえば、演算部１５は、ＩＦａから調光信号の調光度に対応する電流値を減算して、ＩＦ２を演算する。演算部１５は、抵抗２５の抵抗値からオペアンプ２２の入力端子に印加する電圧の電圧値を演算する。たとえば、演算部１５は、ＩＦ２に抵抗２５の抵抗値を積算して、電圧値を演算する。
【００５９】
演算部１５は、ＲＣフィルタ２１が当該電圧値の電圧を出力するような制御信号を生成する。演算部１５は、生成した制御信号をＲＣフィルタ２１へ送信する。
【００６０】
ＲＣフィルタ２１は、制御信号に基づいて、オペアンプ２２の入力端子に電圧を印加する。オペアンプ２２は、入力端子に印加される電圧に基づいて、出力端子から半導体スイッチ２４のベースに電圧を印加する。即ち、オペアンプ２２は、半導体スイッチ２４をオンオフ制御する。
【００６１】
半導体スイッチ２４のベースに電圧が印加すると、半導体スイッチ２４が導通する。半導体スイッチ２４が導通すると、ＩＦ２が流れ込む。  
また、オペアンプ２２には、抵抗２５に印加される電圧がフィードバックされる。そのため、オペアンプ２２は、ＲＣフィルタ２１が出力する電圧が抵抗２５に印加されるように、半導体スイッチ２４のベースに電圧を印加する。
【００６２】
照明負荷３には、ＩＦ３として、ＩＦ１からＩＦ２を分流した電流が流れる。即ち、ＩＦ３の電流値は、ＩＦ１の電流値からＩＦ２の電流値を減算した値となる。照明負荷３は、ＩＦ３によって発光する。
【００６３】
以上のように構成される照明システムは、調光信号の調光度が所定の調光度より小さい場合には、調光度に関わらずコンバータ回路に当該調光度に対応する電流を出力させる。同時に、照明システムは、コンバータ回路と照明負荷との間から分流回路に引き込む電流を制御して、照明負荷に流れる電流を制御する。
【００６４】
その結果、深調光時においても、コンバータ回路１３は、ノイズの影響を受けにくく、安定して電流を出力することができる。同時に、照明システムは、分流回路に電流を引き込むことで深調光を実現することができる。
【００６５】
また、照明負荷に流れる電流の電流値を制御するための抵抗の抵抗値よりも、分流回路が引き込む電流の電流値を制御するための抵抗の抵抗値は大きい。そのため、照明システムは、分流回路が引き込む電流の電流値を大きな電圧で設定することができる。その結果、照明システムは、分流回路が引き込む電流の制御に対するノイズの影響を抑制することができる。また、照明システムは、分流回路が引き込む電流を細かく制御することができる。従って、照明システムは、深調光時に安定して動作することができる。
【００６６】
なお、点灯装置２は、抵抗４を備えてもよい。この場合、照明負荷３が点灯装置２から取り外し可能であってもよい。また、照明負荷３は、ＬＥＤ電球又は蛍光灯形ＬＥＤランプなどを構成するものであってもよい。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１…交流電源、２…点灯装置、３…照明負荷、４、２３及び２５…抵抗、１１…整流回路、１２…ＰＦＣ回路、１３…コンバータ回路、１４…制御部、１５…演算部、１６…分流回路、２１…ＲＣフィルタ、２２…オペアンプ、２４…半導体スイッチ、１００…照明システム。
【図１】
2017062896.tif 000003
【図２】
2017062896.tif 000004
【図３】
2017062896.tif 000005